(57)【要約】【課題】縦枠に合わせて下枠を正確に位置決めして固定することができ、下枠に大きな力が加わっても移動を防止できる縦枠と下枠との取付構造を提供する。【解決手段】縦枠１０の下端に床下地材１に対接するベース部材２０を連結し、ベース部材２０は下枠３０に向けて突出する位置決め突部２４を備え、下枠３０は位置決め突部２４が嵌合する凹部３６を備える。また、縦枠１０は、開口部を閉塞する扉の縦辺が挿入される段差部１２を有し、ベース部材２０は段差部１２の下端部と下枠３０の垂直端面３１との隙間を閉じるスペーサ部材２５を備える。【選択図】  図１
2004211461.tif 000002
【特許請求の範囲】
【請求項１】
床下地材上に固定する開口部の縦枠と下枠との取付構造であって、前記縦枠の下端に前記床下地材に対接するベース部材を連結し、該ベース部材は前記下枠に向けて突出する位置決め突部を備え、前記下枠は該位置決め突部が嵌合する凹部を備えることを特徴とする縦枠と下枠との取付構造。
【請求項２】
前記縦枠は、前記開口部を閉塞する扉の縦辺が挿入される段差部を有し、前記ベース部材は該段差部の下端部と前記下枠の垂直端面との隙間を閉じるスペーサ部材を備えることを特徴とする請求項１に記載の縦枠と下枠との取付構造。
【請求項３】
床表面材を固定した床下地材上に固定する開口部の縦枠、下枠及び床表面材の取付構造であって、前記縦枠の下端に前記床下地材に対接するベース部材を固定し、該ベース部材は前記下枠に向けて突出する位置決め突部を備え、前記下枠は該位置決め突部が嵌合する凹部を備え、前記下枠は、上面から長手方向と直交する方向に鍔部を延出しており、該鍔部の下面と前記縦枠の下端面とが一致したレベルにあり、該レベルと前記床表面材の上面とが一致することを特徴とする縦枠、下枠及び床表面材の取付構造。
【請求項４】
前記縦枠は、前記開口部を閉塞する扉の縦辺が挿入される段差部を有し、前記ベース部材は該段差部の下端部と前記下枠の垂直端面との隙間を閉じるスペーサ部材を備えることを特徴とする請求項３に記載の縦枠、下枠及び床表面材の取付構造。
【発明の詳細な説明】
【０００１】
【発明の属する技術分野】
本発明は、建物の間仕切り壁等に形成された開口部を形成する縦枠と下枠との取付構造に係り、特に、縦枠を固定したあとに敷居等の下枠を位置決めして取付けできる縦枠と下枠との取付構造と、縦枠、下枠及び床表面材の取付構造に関する。
【０００２】
【従来の技術】
従来の開口部等を構成する縦枠と、埋め込みタイプの下枠との取付構造は、上枠と該上枠の両端に固定した縦枠を施工し、門型を形成したあとで２つの縦枠の間に下枠を嵌め込んでから固定している。埋め込みタイプの下枠は、上面から延出する鍔部を有し、この鍔部がフロア材等の床表面材の上部に位置するように施工するため、最後に下枠を固定する順序となっている。
【０００３】
【発明が解決しようとする課題】
ところで、前記構造の縦枠と下枠との取付構造は、縦枠を施工したあとで下枠を取付けるため、縦枠と下枠とを連結させることができず位置決めが困難であり、縦枠と下枠とが揃わず見栄えが悪くなるという問題点があった。特に、一方の縦枠と下枠の一端部とが揃っても、他方の縦枠と下枠の他端部とが揃わない場合があり、バランスが取れないという問題点もあった。また、下枠に大きな力がかかった場合、縦枠と下枠がずれる虞があった。
【０００４】
本発明は、このような問題に鑑みてなされたものであって、その目的とするところは、縦枠が施工されたあとで下枠を施工しても、縦枠に合わせて下枠を正確に位置決めして固定することができる縦枠と下枠との取付構造を提供することにある。また、縦枠と下枠とを連結したあと、下枠に衝撃が加わっても容易に移動することのない縦枠と下枠との取付構造を提供することにある。さらに、前記の縦枠、下枠と床表面材との取付が精度よく行え、隙間が生じない縦枠、下枠及び床表面材の取付構造を提供することにある。
【０００５】
【課題を解決するための手段】
前記目的を達成すべく、本発明に係る縦枠と下枠との取付構造は、床下地材上に固定された開口部を形成する縦枠と下枠との取付構造であって、縦枠の下端に床下地材に対接するベース部材を固定し、該ベース部材は下枠に向けて突出する位置決め突部を備え、下枠は該位置決め突部が嵌合する凹部を備えることを特徴とする。
【０００６】
前記のごとく構成された本発明の縦枠と下枠との取付構造は、開口部を構成する縦枠が最初に施工されたあとに下枠を固定する場合でも、下枠の下端に固定されたベース部材から突出する位置決め突部に合わせて下枠の下面の凹部を嵌合させることにより、縦枠に下枠を所定の位置関係で正確に固定することができる。そして固定状態が安定するため、下枠に水平方向の衝撃が加わっても、ずれることを回避できる。
【０００７】
また、本発明に係る縦枠と下枠との取付構造の好ましい具体的な態様としては、前記縦枠は、開口部を閉塞する扉の縦辺が挿入される段差部を有し、ベース部材は該段差部の下端部と前記下枠の垂直端面との隙間を閉じるスペーサ部材を備えることを特徴としている。扉は引戸でも回転戸でもよい。この構成によれば、縦枠に引戸等の縦辺が挿入する戸じゃくり溝等の段差部が形成され、この段差部と下枠の垂直端面との間に隙間が形成されている場合でも、スペーサ部材が隙間を閉じるため見栄えが向上し、隙間に小物が落ち込むことを防止でき、ゴミやほこり等が溜まるのを防止できる。
【０００８】
さらに、本発明に係る縦枠、下枠及び床表面材の取付構造は、床下地材上に固定された開口部を形成する縦枠、下枠及び床表面材の取付構造であって、縦枠の下端に床下地材に対接するベース部材を固定し、該ベース部材は下枠に向けて突出する位置決め突部を備え、下枠は該位置決め突部が嵌合する凹部を備え、下枠は、上面から長手方向と直交する方向に鍔部を延出しており、該鍔部の下面と縦枠の下端面とが一致したレベルにあり、このレベルと床表面材の上面とが一致することを特徴としている。
【０００９】
このように構成された本発明の縦枠、下枠及び床表面材の取付構造は、縦枠と下枠とを正確に位置決めして取付けでき、さらに下枠から水平方向に延出する鍔部の下面と縦枠の下端面とが一致し、このレベルに床表面材の上面が一致するため、各部材間に隙間が発生せず見栄えを向上することができ、隙間に小物やほこりが入り込むのを防止できる。
【００１０】
本発明に係る縦枠、下枠及び床表面材の取付構造の好ましい具体的な態様としては、前記縦枠は、開口部を閉塞する扉の縦辺が挿入される段差部を有し、ベース部材は該段差部の下端部と下枠の垂直端面との隙間を閉じるスペーサ部材を備えることを特徴とする。この構成によれば、縦枠に戸じゃくり溝等の段差部が形成され、この段差部と下枠の垂直端面との間に隙間が形成されている場合でも、スペーサ部材が隙間を閉じるため見栄えが向上し、隙間に小物が落ち込むことを防止でき、ゴミやほこり等が溜まるのを防止できる。
【００１１】
【発明の実施の形態】
以下、本発明に係る縦枠と下枠との取付構造の一実施形態を図面に基づき詳細に説明する。図１（ａ）は、本実施形態に係る縦枠と下枠との取付構造を示す要部斜視図、（ｂ）はその底面図、図２は、図１に使用する縦枠とベース部材との位置関係を示す分解斜視図、図３は、図１に使用するベース部材と下枠との位置関係を示す分解斜視図、図４は図１の下枠の長手方向に沿う床表面材及び床下地材の取付状態を示す断面図、図５は、図４のＡ−Ａ線断面図である。
【００１２】
図１〜５において、本実施形態の縦枠と下枠との取付構造は、開口部を形成する例えば間仕切り壁（図示せず）に合わせて縦枠と下枠とを取付けるものであって、床下地材１（図４，５参照）に固定された開口部等を形成する縦枠１０には、ベース部材２０を介して下枠３０が取付けられる。開口部は図示していないが、２つの縦枠と、この縦枠を上下で連結する上枠及び下枠から構成され、図１では一方の縦枠１０の下端部と下枠３０の一端部とを示している。縦枠１０は例えば無垢の木材、合板、木質繊維板、パーティクルボード、高密度繊維板（ＨＤＦ）等の木材を使用した板材の他に、合成樹脂の押出し材等、適宜の材料で形成される。
【００１３】
縦枠１０は、対向する内面１１から掘り込んで形成した段差部１２を有し、この段差部には開口部を閉塞する扉として引戸（図示せず）の縦辺が挿入される。なお、扉として、回転戸を使用する場合は、段差部は縦枠の一方の側面側に開口する形状となる。段差部の深さは数ｍｍ〜５ｍｍ程度に設定され、その幅は引戸の厚さより僅かに大きく設定される。
【００１４】
ベース部材２０は床下地材１に対接するブロック状をしており、その長さは縦枠１０の幅より小さく、奥行は縦枠の厚さと同等に、上下方向の高さは床表面材２（図４，５参照）の厚さと一致しており、縦枠１０の下端面１３に連結して固定される。すなわち、ベース部材２０は縦枠１０の下端に固定されてもよく、床下地材１上にベース部材２０を載置し、その上に縦枠１０を載置して連結してもよい。固定する場合は、下方よりベース部材に釘を打ち込んで固定するか、ビスをねじ込んで固定することができる。
【００１５】
ベース部材２０の上面２１は縦枠１０の下端面１３と対接し、下面２２は床下地材１と対接する。ベース部材２０は、その内面２３と縦枠１０の内面１１とが一致するように固定され、内面２３の下端から下枠３０に向けて突出する２本の位置決め突部２４，２４を備えている。位置決め突部は角棒状をしており、角棒の下面は床下地材１と対接している。
【００１６】
また、ベース部材２０は、その上面から突出する状態でスペーサ部材２５を固定してある。このスペーサ部材２５は縦枠１０の段差部１２の下端部と、下枠３０の垂直端面３１との隙間を閉じるものであり、その長さは段差部１２の幅と一致し、幅は段差部１２の深さと一致している。スペーサ部材２５の厚さは、後述する下枠３０から水平方向に延出する鍔部の厚さと一致している。ベース部材２０は、例えば木製のブロックの下面に凹溝を形成し、この凹溝に木製あるいは樹脂製の位置決め突部２４を嵌合固定し、ブロックの上面に木製あるいは樹脂製のスペーサ部材２５を固定して形成することができるが、合成樹脂で一体的に形成してもよい。また、位置決め突部は１本でもよく、本数は限定されない。
【００１７】
下枠３０は縦枠１０と同様の材料から形成され、下面３２は床下地材１に対接し、上面３３には引き戸用の溝部３４が形成されている。下枠３０には、その長手方向と交差する方向に上面３３から延出する薄肉の鍔部３５，３５が形成され、鍔部の上の角部はアール面取りが形成されている。鍔部の厚さは３〜５ｍｍ程度が好ましい。また、下枠３０の下面には、ベース部材２０から突出する位置決め突部２４，２４が嵌合する凹部３６，３６が形成されている。位置決め突部２４と凹部３６とは、下枠３０の長手方向に沿っては隙間があってもよいが、長手方向と直交する方向には隙間がなく固く嵌合することが望ましい。
【００１８】
前記のように、開口部は縦枠１０と下枠３０、及び図示していない他方の縦枠と上枠により形成され、これらの縦枠１０、下枠３０と床表面材２との位置関係について、図４，５を参照して説明する。床下地材１は、例えば捨て張りした合板であり、床表面材２は床下地材１上に留め釘等により固定され、開口部を形成する縦枠１０に合わせて床表面材２，２は間隔を有して対向し、床下地材１が露出している。下枠３０は床表面材２，２の間隔に上方から嵌め込まれて床下地材１に固定される。
【００１９】
前記したように、ベース部材２０の高さは床表面材２の厚さと一致しており、床表面材２の上面と縦枠１０の下面とが同じレベルとなって、両方の面が対接している。このため、縦枠１０と床表面材２とは隙間無く対接する構成となっている。また、下枠３０の鍔部３５，３５は、その下面と縦枠１０の下端面とが一致したレベルとなっており、鍔部下面と床下地材１との間隔が床表面材２の厚さと一致している。このため、下枠３０を床下地材１上に固定すると、鍔部３５，３５の下面と床表面材２，２の上面が対接して隙間の無い状態となるように設定されている。
【００２０】
前記の如く構成された本実施形態の縦枠と下枠との取付構造と、さらに床表面材の取付動作について以下に説明する。床下地材１上に開口部に合わせて間隔を有して床表面材２，２が留め釘等により固定される。そして、開口部を形成する例えば間仕切り壁に２本の縦枠と上枠が固定される。縦枠１０は、図２に示すように下端にベース部材２０が連結され、段差部１２の下端がスペーサ部材２５で塞がれた状態となる。
【００２１】
そして、ベース部材２０の下面２２を床下地材１に対接させて、縦枠１０を垂直状態に立設する。縦枠１０は１本のみ示しているが、実際には２本が対向してベース部材２０の位置決め突部２４は開口部の内側に向けて対向突出している。この後、下枠３０を床表面材２，２の間隔に合わせて縦枠１０の間に嵌め込む。このとき、下枠３０の下面の凹部３６内に位置決め突部２４を嵌合させるため、下枠３０は縦枠１０に対して正確な位置関係で位置決めできる。
【００２２】
この後、例えば下枠３０の上方より留め釘を打ち込んで、下枠を床下地材１上に固定する。これにより、下枠３０の固定は完了し、鍔部３５，３５の下面は床表面材２，２の上面に対接して隙間は形成されない。また、下枠３０はベース部材２０の位置決め突部２４，２４が凹部３６に嵌合しているため、水平方向に大きな力が加わっても移動することが防止される。そして、鍔部３５は薄肉で形成され、しかも上方の角部にアール面取り加工が施されているため、歩行中に躓くことを防止でき、車椅子等の通過を容易にできる。
【００２３】
このように、本実施形態の縦枠と下枠との取付構造と、さらに床表面材の取付構造によれば、縦枠１０間に下枠３０を後付けで容易に固定でき、縦枠１０に対して下枠３０を精度よく固定でき、縦枠１０と下枠３０とが揃って見栄えが向上する。また、縦枠１０と下枠３０は位置決め突部２４が凹部３６に嵌合しているため、水平方向に大きな衝撃等が加わっても下枠３０が移動することはない。そして、縦枠１０に段差部１２があってもスペーサ部材２５で隙間を隠すことができる。床表面材の上面２は下枠３０の鍔部３５の下面と対接するとともに、縦枠１０の下端面１３と対接して隙間ができないため、見栄えが向上してほこり等が侵入するのを防止できる。
【００２４】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、位置決め突部は角棒状の例を示したが、上面が半円状のかまぼこ状でも、あるいは上方に突出した三角柱状でもよい。このような形状の場合、凹部は同様の形状にして嵌合させることが好ましい。また、下枠には１本の溝部が形成される例を示したが、引き違い戸の場合は２本の溝部が形成され、三枚引戸の場合は３本の溝部が形成される。下枠の鍔部上部の面取りはアール面取りに限らず、４５度のコーナ面取りや傾斜の緩い面取りでもよいことは勿論である。
【００２５】
【発明の効果】
以上の説明から理解できるように、本発明の縦枠と下枠との取付構造は、縦枠に下枠を所定の位置関係で正確に固定することができ、下枠に水平方向の衝撃が加わっても、ずれることを回避することができる。また、縦枠に引戸等が挿入される段差部が形成される場合、段差部と下枠の垂直端面との隙間をスペーサ部材で閉じるため見栄えが向上し、隙間に小物が落ち込むことを防止でき、ゴミやほこり等が溜まるのを防止できる。さらに、縦枠、下枠と床表面材との各部材間に隙間が発生せず、見栄えを向上することができ、隙間に小物やほこりが入り込むのを防止できる。
【図面の簡単な説明】
【図１】（ａ）は本発明に係る縦枠と下枠との取付構造の一実施形態を示す要部斜視図、（ｂ）はその底面図。
【図２】図１の縦枠とベース部材との関係を示す分解斜視図。
【図３】図１の縦枠、ベース部材及び下枠との関係を示す分解斜視図。
【図４】図１の下枠の長手方向に沿う床表面材及び床下地材の取付状態を示す断面図。
【図５】図４のＡ−Ａ線断面図。
【符号の説明】
１…床下地材、２…床表面材、１０…縦枠、１１…縦枠の内面、１２…段差部、１３…縦枠の下端面、２０…ベース部材、２４…位置決め突部、２５…スペーサ部材、３０…下枠、３１…下枠の垂直端面、３５…鍔部、３６…凹部、
【図１】
2004211461.tif 000003
【図２】
2004211461.tif 000004
【図３】
2004211461.tif 000005
【図４】
2004211461.tif 000006
【図５】
2004211461.tif 000007